(57)【要約】【課題】良好なリム洗浄能力を得られる水洗大便器を提供する。【解決手段】便鉢部１４と、便鉢部１４内に洗浄水を吐き出すための吐水部３６と、を有する便器本体１２を備え、便鉢部１４は、汚物を受けるための受け面部２６と、受け面部２６の上端縁２６ａに接続されるリム部２８と、を有し、吐水部３６は、リム部２８に形成される三つの吐水口３２Ａ〜３２Ｃを有し、三つの吐水口３２Ａ〜３２Ｃからリム部２８の内周面に沿って周方向の一方に洗浄水を吐き出し、便鉢部１４は、平面視において、便器本体１２の外面部分の左右寸法を二等分する左右中心線と、便鉢部１４の内面部分の前後寸法を二等分する前後中心線とで区分けされる四つの分割領域Ｓｒ１〜Ｓｒ４を有し、三つの吐水口３２Ａ〜３２Ｃは、四つの分割領域Ｓｒ１〜Ｓｒ４のうち、三つの分割領域のそれぞれに個別に形成される。【選択図】図３
2019206914.tif 000002
【特許請求の範囲】
【請求項１】
便鉢部と、前記便鉢部内に洗浄水を吐き出すための吐水部と、を有する便器本体を備え、
前記便鉢部は、汚物を受けるための受け面部と、前記受け面部の上縁部に接続されるリム部と、を有し、
前記吐水部は、前記リム部に形成される三つの吐水口を有し、前記三つの吐水口から前記リム部の内周面に沿って周方向の一方側に洗浄水を吐き出し、
前記便鉢部は、平面視において、前記便器本体の外面部分の左右寸法を二等分する左右中心線と、該便鉢部の内面部分の前後寸法を二等分する前後中心線とで区分けされる四つの分割領域を有し、
前記三つの吐水口は、前記四つの分割領域のうち、三つの分割領域のそれぞれに個別に形成されることを特徴とする水洗大便器。
【発明の詳細な説明】
【技術分野】
【０００１】
本発明は、水洗大便器に関する。
【背景技術】
【０００２】
従来より、大便器の便鉢部内を洗浄するための洗浄方式に関して種々の検討がなされている。特許文献１には、便鉢部の後方に三つの吐水口を設け、三つの吐水口から吐き出される洗浄水の吐き出しモードを切替弁により変更可能に構成した便器洗浄装置が提案されている。本文献では、洗浄水の吐き出しモードとして、三つの吐水口のうちの一つの吐水口のみを用いる吐き出しモードや、二つの吐水口を併用するモードが開示されている。
【先行技術文献】
【特許文献】
【０００３】
【特許文献１】特開２００６−９３８２号公報
【発明の概要】
【発明が解決しようとする課題】
【０００４】
ところで、便鉢部は、通常、汚物を受けるための受け面部と、受け面部の上縁部に接続されるリム部とを有する。この便鉢部の洗浄方式としては、リム部に形成された吐水口から、リム部の内周面に沿って周方向の一方側に洗浄水を吐き出すことで、便鉢部内を洗浄する方式が知られる。この洗浄方式では、リム部の吐水口から下向きに洗浄水を吐き出すことで便鉢部内を洗浄する方式よりも、リム部の内周面を含む便鉢部内の広い範囲を洗浄水により洗浄できるため、良好な清潔性を得られるという利点がある。
【０００５】
本発明者は、このような洗浄方式に関して検討した結果、以下の課題を認識するに至った。この洗浄方式では、リム部の内周面に沿って洗浄水が流れる途中に、重力により洗浄水が下方に向けて流れ落ちる。よって、良好なリム洗浄能力を得るためには、リム部の内周面全体に洗浄水を届かせるための工夫が必要となる。このような観点のもとで検討すると、特許文献１の便器洗浄装置はリム部の内周面を洗浄するための特別な工夫がなされておらず、リム洗浄能力の面で改善の余地があった。
【０００６】
本発明は、このような課題に鑑みてなされ、その目的は、良好なリム洗浄能力を得られる水洗大便器を提供することにある。
【課題を解決するための手段】
【０００７】
上記課題を解決するために、本発明のある態様の水洗大便器は、便鉢部と、便鉢部内に洗浄水を吐き出すための吐水部と、を有する便器本体を備え、便鉢部は、汚物を受けるための受け面部と受け面部の上縁部に接続されるリム部と、を有し、吐水部は、リム部に形成される三つの吐水口を有し、三つの吐水口からリム部の内周面に沿って周方向の一方側に洗浄水を吐き出すための吐水部と、を備え、便鉢部は、平面視において、便器本体の外面部分の左右寸法を二等分する左右中心線と、便鉢部の内面部分の前後寸法を前後方向に二等分する前後中心線とで区分けされる四つの分割領域を有し、三つの吐水口は、四つの分割領域のうち、三つの分割領域のそれぞれに個別に形成される。
この態様によれば、四つの分割領域のうち、三つの分割領域のそれぞれに個別の吐水口が形成される。よって、四つの分割領域のうちの二つの分割領域に個別の吐水口を形成するよりも、各吐水口それぞれから周方向の一方側に隣り合う他の吐水口までのリム部の内周長を短くできる。このため、リム部の内周面全体に洗浄水を届かせ易くなり、良好なリム洗浄能力を得られるようになる。
【０００８】
前述の態様では、三つの吐水口には、他の二つの吐水口より洗浄水吐出量が多い第１吐水口が含まれてもよい。
この態様によれば、第１吐水口から吐き出される洗浄水により便鉢部内に主流を形成し易くなる。このため、三つの吐水口の位置、洗浄水の吐出方向等を調整することで、便鉢部内での主流の流れ方を様々に設定でき、洗浄水による洗浄態様の自由度を高められる。
【０００９】
前述の態様では、第１吐水口は、四つの分割領域のうちの後側の分割領域に設けられてもよい。
第１吐水口に洗浄水を供給する通水路は、他の吐水口より第１吐水口の洗浄水吐出量を多くするため、大きい通路断面積を確保する必要がある。この態様によれば、洗浄水吐出量の多い第１吐水口を後側の分割領域に設けるため、第１吐水口を前側の分割領域に設けるよりも、通路断面積が大きい通水路の前後寸法を抑えられ、吐水部を小型化し易くなる。よって、良好なリム洗浄能力を得つつ、吐水部全体を小型化し易くできる。
【００１０】
また、前述の態様では、四つの分割領域のうち、第１吐水口が形成される分割領域に対して周方向の一方側に隣接する分割領域には、他の二つの吐水口が形成されなくともよい。
【００１１】
前述の態様では、リム部は、三つの吐水口のそれぞれから周方向の一方側に延びるように形成される三つのリム導水路を有し、吐水部は、三つの吐水口のそれぞれの洗浄水吐出量の大小関係が、三つの吐水口のそれぞれに連なる三つのリム導水路の内周長の大小関係と同じになるように構成されてもよい。
この態様によれば、内周長が長いリム導水路には多くの洗浄水量を流すことができ、そのリム導水路全体に十分量の洗浄水を行き届かせ易くできる。また、内周長が短いリム導水路では少ない洗浄水量を流すことで、そのリム導水路での洗浄水使用量を抑えることができる。このため、リム部の内周面全体に十分量の洗浄水を行き届かせて良好なリム洗浄能力を得つつ、リム部の内周面全体の洗浄に用いられる洗浄水の使用量を抑えやすくできる。
【００１２】
前述の態様では、吐水部は、三つの吐水口のそれぞれの洗浄水吐出量の大小関係と、三つの吐水口のそれぞれの開口面積の大小関係とが同じとなるように構成されてもよい。
【００１３】
前述の態様では、三つの吐水口は、二つの前側の分割領域のうちの周方向の一方側にある分割領域と、二つの後側の分割領域とのそれぞれに個別に形成されてもよい。
この態様によれば、リム部の前側の左右中心位置を含む内周面領域に小水が当たったとき、この内周面領域に沿って伝わる小水が吐水口から奥側に進入し難くなる。よって、吐水口の奥側に尿成分が残存する可能性を抑えられ、それだけ汚れや臭いの発生を防止できる。
【００１４】
前述の態様では、三つの吐水口のうちの一つの吐水口は、二つの前側の分割領域のうちの周方向の一方側にある分割領域に設けられ、吐水部は、一つの吐水口に洗浄水を供給する通水路を有し、通水路は、リム部の左右両側の側方部分のうち、周方向の一方側の分割領域がある側の側方部分の裏側にて前後方向に沿って延びるように形成されてもよい。
この態様によれば、リム部の前側の左右中心位置の裏側を経由しないようなレイアウトで通水路を配置できる。よって、リム部の前側の左右中心位置の裏側を経由するように通水路を配置するより、一つの吐水口に洗浄水を供給するための通水経路を短くすることができ、一つの吐水口から水勢の強い洗浄水を吐き出せるようになる。この結果、更に良好なリム洗浄能力を得られるようになる。
【００１５】
また、前述の態様では、通水路の下流端部には、上流側から供給される洗浄水を折り返して一つの吐水口に導くように流す折り返し部分が形成され、一つの吐水口は、便鉢部の径方向に隣り合う二つの壁部により部分的に形成され、二つの壁部の周方向端部は、便鉢部の中心点から延びる仮想線上に並ぶように配置されてもよい。
この態様によれば、一つの吐水口より奥側にて折り返し部分の上流端と下流端とのそれぞれに連なる別々の水路部分が、便鉢部の径方向に並んで形成され難くなる。これにより、吐水口に洗浄水を供給する通水経路の中で最も通路断面積が小さい部位が、一つの吐水口となるような設計をし易くなる。
【発明の効果】
【００１６】
本発明によれば、良好なリム洗浄能力を得られる水洗大便器を提供できる。
【図面の簡単な説明】
【００１７】
【図１】実施形態に係る水洗大便器の側面断面図である。
【図２】実施形態に係る水洗大便器の平面図である。
【図３】図１のＡ−Ａ線断面図である。
【図４】便器本体の左右中心線と、便鉢部の前後中心線とを説明するための図である。
【図５】実施形態に係る便鉢部内での初期段階での洗浄水の流れ方を示す図である。
【図６】実施形態に係る便鉢部内での途中段階での洗浄水の流れ方を示す図である。
【図７】実施形態に係る便鉢部内での途中段階での洗浄水の流れ方を示す他の図である。
【図８】リム部の第１リム導水路〜第３リム導水路の内周長を示す図である。
【図９】小水の伝わり方を示す図であり、図９（ａ）は第１変形例に係る便器本体を示す図であり、図９（ｂ）は実施形態に係る便器本体を示す図である。
【図１０】洗浄水に付与される遠心力を説明するための図である。
【図１１】図１１（ａ）は実施形態に係る第２吐水口周りの構造を示す図であり、図１１（ｂ）は第２変形例に係る第２吐水口周りの構造を示す図である。
【図１２】第３吐水口周りの構造を示す図である。
【図１３】作用効果（１）を得られる吐水口の配置パターンの例を示す模式図である。
【図１４】作用効果（２）を得られる吐水口の配置パターンの例を示す模式図である。
【発明を実施するための形態】
【００１８】
以下、実施形態、変形例では、同一の構成要素に同一の符号を付し、重複する説明を省略する。また、各図面では、説明の便宜のため、構成要素の一部を適宜省略する。
【００１９】
図１は本実施形態に係る水洗大便器１０の側面断面図であり、図２は水洗大便器１０の平面図である。
水洗大便器１０は、陶器を素材とする便器本体１２を備える。便器本体１２は、トイレ室の側壁面１００に掛けた状態で取り付けられる壁掛け型便器である。便器本体１２の上方には、図示しないが、局部洗浄装置等の温水洗浄用装置を収めたボックスや、ボックスに上下に回動可能に支持される便蓋及び便座が配置される。
【００２０】
便器本体１２は、図１に示すように、便器本体１２の前部に形成される便鉢部１４と、便鉢部１４の底部に形成される入口１６（図２も参照）を通して便鉢部１４内に連通するトラップ部１８とを備える。トラップ部１８は、便鉢部１４内の汚物を下水側水路（不図示）に排出するための排水通路部２０の一部となる。排水通路部２０は、トラップ部１８の他に、トラップ部１８の下流端部に接続される接続管２２を備え、これらの内側を通して汚物が下水側水路に排出される。なお、トラップ部１８には通水方向の空気の流れを遮断する封水２４が貯留され、下水側水路からの臭気の逆流が封水２４により防がれる。
【００２１】
図３は図１のＡ−Ａ線断面図を示す。
便鉢部１４は、図１、図３に示すように、平面視にて左右寸法より前後寸法が大きくなるような楕円状に形成される。便鉢部１４は、汚物を受けるための受け面部２６と、受け面部２６の上縁部に接続されるとともに便鉢部１４の上縁部を形成するリム部２８と、受け面部２６の下縁部から下方に窪んで形成される凹部３０とを備える。
【００２２】
受け面部２６及び凹部３０は環状に連続して設けられる。受け面部２６は、環中心側に向けて下り勾配で傾斜するように形成される。凹部３０は有底状に形成され、その底部にはトラップ部１８の入口１６が開口する。凹部３０には封水２４の一部が溜められる。
【００２３】
リム部２８には三つの吐水口３２Ａ〜３２Ｃ（後述する）が形成される。リム部２８は、三つの吐水口３２Ａ〜３２Ｃのそれぞれから便鉢部１４の周方向に延びるように形成される三つのリム導水路３４Ａ〜３４Ｃを有する。以下、吐水口３２Ａ〜３２Ｃを総称するときは「吐水口３２」といい、リム導水路３４Ａ〜３４Ｃを総称するときは「リム導水路３４」という。
【００２４】
リム導水路３４は吐水口３２から吐き出される洗浄水を旋回させるように導くために形成される。リム導水路３４は、図１に示すように、受け面部２６の上端縁２６ａから便鉢部１４の外側に向かって延びる棚部３４ａと、棚部３４ａの外周端部から立ち上がる立壁部３４ｂと、立壁部３４ｂの上端部から便鉢部１４の内側に向かって延びるオーバーハング部３４ｃとを備える。棚部３４ａの径方向寸法は、図３に示すように、吐水口３２から旋回流旋回方向Ｄａ（後述する）に離れるにつれて短くなるように形成される。オーバーハング部３４ｃも同様である。これにより、吐水口３２から吐き出される洗浄水が、吐水口３２から離れるにつれて、徐々に受け面部２６に流れ落ちるようになる。
【００２５】
三つのリム導水路３４には三つの第１吐水口３２Ａ〜第３吐水口３２Ｃのそれぞれに対応する第１リム導水路３４Ａ〜第３リム導水路３４Ｃが含まれる。第１リム導水路３４Ａは、平面視において、第２吐水口３２Ｂの近傍、かつ、その内側を終端位置３４Ａａとして、第１吐水口３２Ａから終端位置３４Ａａまで旋回流旋回方向Ｄａに延びるように形成される。第２リム導水路３４Ｂは、第３吐水口３２Ｃの近傍、かつ、その内側を終端位置３４Ｂａとして、第２吐水口３２Ｂから終端位置３４Ｂａまで旋回流旋回方向Ｄａに延びるように形成される。第３リム導水路３４Ｃは、第１吐水口３２Ａの近傍、かつ、その内側を終端位置３４Ｃａとして、第３吐水口３２Ｃから終端位置３４Ｃａまで延びるように形成される。各リム導水路３４Ａ〜３４Ｃは、便鉢部１４の中心点Ｃｐ（後述する）周りの角度範囲のうち、少なくとも１／４周分の角度範囲に亘り延びるように形成される。
【００２６】
図４は、便器本体１２の左右中心線Ｌａと、便鉢部１４の前後中心線Ｌｂとを説明するための図である。
便器本体１２の左右中心線Ｌａとは、平面視において、便器本体１２の外面部分の左右寸法Ｌｘを二等分して前後方向に沿って延びる直線をいう。詳しくは、便器本体１２の外面部分の左端位置１２Ｌから右端位置１２Ｒまでの左右寸法Ｌｘを二等分する直線が左右中心線Ｌａとなる。また、便鉢部１４の前後中心線Ｌｂとは、便鉢部１４の各吐水口３２Ａ〜３２Ｃを通る水平断面の平面視において、便鉢部１４の内面部分の前後寸法Ｌｙを二等分して左右方向に沿って延びる直線をいう。詳しくは、便鉢部１４の内面部分の前端位置１４Ｆから後端位置１４Ｒまでの前後寸法Ｌｙを二等分する直線が前後中心線Ｌｂとなる。なお、前述の便鉢部１４の中心線Ｃｐとは、左右中心線Ｌａと前後中心線Ｌｂとの交点をいう。
【００２７】
以上の便鉢部１４は、平面視において、便鉢部１４の左右中心線Ｌａと前後中心線Ｌｂとで区分けされる四つの分割領域Ｓｒ１〜Ｓｒ４を有する。以下、四つの分割領域のうち、前後中心線Ｌｂに対して後側の分割領域であって、左右中心線Ｌａに対して右側の分割領域を第１分割領域Ｓｒ１とする。また、四つの分割領域のうち、第１分割領域Ｓｒ１から平面視で反時計回り方向にある分割領域を順に第２分割領域Ｓｒ２、第３分割領域Ｓｒ３、第４分割領域Ｓｒ４とする。第２分割領域Ｓｒ２、第３分割領域Ｓｒ３は前側の分割領域となり、第１分割領域Ｓｒ１、第４分割領域Ｓｒ４は後側の分割領域となる。
【００２８】
図３に戻り、便器本体１２は、さらに、前述の三つの吐水口３２Ａ〜３２Ｃを有する吐水部３６を備える。吐水部３６は、三つの吐水口３２Ａ〜３２Ｃの他に、後述する通水部３８を有する。吐水部３６は、三つの吐水口３２Ａ〜３２Ｃからリム部２８の内周面に沿って旋回流旋回方向Ｄａに洗浄水を吐き出すためのものである。吐水部３６は、各吐水口３２Ａ〜３２Ｃから便鉢部１４内に洗浄水を吐き出すことにより、便鉢部１４内を一方向に旋回する旋回流を形成する。本実施形態では、便鉢部１４の周方向の一方側Ｄａ（反時計回り方向）に旋回する旋回流を形成する。以下、この周方向の一方側Ｄａを旋回流旋回方向Ｄａとする。
【００２９】
三つの吐水口３２Ａ〜３２Ｃは、便鉢部１４の四つの分割領域Ｓｒ１〜Ｓｒ４のうち、三つの分割領域のそれぞれに個別に形成される。詳しくは、三つの吐水口３２Ａ〜３２Ｃには、第１分割領域Ｓｒ１に位置する第１吐水口３２Ａと、第３分割領域Ｓｒ３に位置する第２吐水口３２Ｂと、第４分割領域Ｓｒ４に位置する第３吐水口３２Ｃとが含まれる。いずれの吐水口３２Ａ〜３２Ｃも旋回流旋回方向Ｄａに開放するように形成される。
【００３０】
通水部３８は、リム部２８の裏側（便鉢部１４の径方向外側）に配置される中空構造の部分である。通水部３８は、各吐水口３２Ａ〜３２Ｃに連通し、各吐水口３２Ａ〜３２Ｃに供給される洗浄水の通り道となる。通水部３８は、流入路３８ａと、右側通水路３８ｂ（第１通水路）と、左側通水路３８ｃ（第２通水路）と、を有する。流入路３８ａは、リム部２８の後方かつ裏側に配置される。右側通水路３８ｂは、リム部２８の左右両側の側方部分のうち、一方の右側方部分２８Ｒの裏側に配置される。左側通水路３８ｃは、リム部２８の左右両側の側方部分のうち、他方の左側方部分２８Ｌの裏側に配置される。
【００３１】
流入路３８ａには、図１に示すように、洗浄水供給装置の一部となる給水管１０２から供給される洗浄水が流入する。図１、図２では、給水管１０２から流入路３８ａに対する洗浄水の供給経路Ｒａを示す。洗浄水は、リム部２８の後方に配置されるとともに流入路３８ａを区画する後壁部３８ｄに形成される導入孔３８ｅを通して流入路３８ａ内に流入する。洗浄水供給装置は、本実施形態において、水道水の給水圧を用いた水道直圧式の給水方式により洗浄水を供給する。流入路３８ａは、図３に示すように、洗浄水供給装置からの洗浄水の流入位置Ｐａとなる導入孔３８ｅの前方より左右方向に広がるように形成される。流入路３８ａの左右方向の一端部には右側通水路３８ｂが連通し、左右方向の他端部には左側通水路３８ｃが連通する。
【００３２】
右側通水路３８ｂは、リム部２８の右側方部分２８Ｒの裏側にて前後方向に沿って延びるように形成される。右側通水路３８ｂの下流端には第１吐水口３２Ａが形成される。
【００３３】
左側通水路３８ｃには、左側通水路３８ｃの下流端部に形成される折り返し部分３８ｃａと、折り返し部分３８ｃａに連通するとともに前後方向に沿って延びるように形成される前後延在部分３８ｃｂと、が含まれる。左側通水路３８ｃの下流端となる折り返し部分３８ｃａの下流端には第２吐水口３２Ｂが形成される。左側通水路３８ｃの前後延在部分３８ｃｂには、前後方向の途中位置から旋回流旋回方向Ｄａかつ径方向内側に延びるように分岐部分３８ｃｃが形成される。左側通水路３８ｃの途中位置となる分岐部分３８ｃｃの下流端には第３吐水口３２Ｃが形成される。前後延在部分３８ｃｂの途中位置から分岐部分３８ｃｃに至る範囲の内底面３８ｃｄは第３吐水口３２Ｃに近づくにつれて上昇するように形成される。
【００３４】
右側通水路３８ｂ内では流入路３８ａから供給される洗浄水が第１吐水口３２Ａに流れるように導かれる（方向Ｄｂ参照）。左側通水路３８ｃの前後延在部分３８ｃｂ内では、流入路３８ａから供給される洗浄水の一部は折り返し部分３８ｃａ側に向かって流れ（方向Ｄｃ参照）、残部は分岐部分３８ｃｃ側に向かって導かれるように流れる（方向Ｄｄ参照）。折り返し部分３８ｃａ内では、上流側の前後延在部分３８ｃｂから供給される洗浄水が径方向内側に折り返して第２吐水口３２Ｂに導かれるように流れる（方向Ｄｅ参照）。
【００３５】
次に、以上の水洗大便器１０を用いた便鉢部１４の洗浄方法を説明する。
水洗大便器１０は、便鉢部１４内の汚物を水の落差を用いてトラップ部１８内に押し流す、いわゆる洗い落し式の洗浄方式により便鉢部１４内を洗浄する。洗浄水の供給を開始するためのスイッチ、レバー等の操作部材の操作により、水洗大便器１０の通水部３８内には洗浄水供給装置から所定の流量範囲内の洗浄水が供給される。以下、所定の流量範囲内の洗浄水の供給を開始してから終了するまでの動作を一回の洗浄動作として説明する。
【００３６】
洗浄水は通水部３８の流入路３８ａ内に流入し、流入した洗浄水は右側通水路３８ｂ、左側通水路３８ｃのそれぞれを通して流れつつ各吐水口３２Ａ〜３２Ｃから吐き出される。通水部３８内が洗浄水で満たされると、洗浄水供給装置により通水部３８内の洗浄水に給水圧に応じた水圧が付与され、その水圧が付与された洗浄水が各吐水口３２Ａ〜３２Ｃから吐き出される。
【００３７】
図５は便鉢部１４内での洗浄水の流れ方を示す図である。本図では便鉢部１４内に洗浄水が流れ始める初期段階（第１段階）を示す。本図では便鉢部１４内での洗浄水の流れに矢印を付して示す。
初期段階において、便鉢部１４内には、第１吐水口３２Ａ、第３吐水口３２Ｃのそれぞれから洗浄水が吐き出され、第２吐水口３２Ｂからは洗浄水が吐き出されない。第１吐水口３２Ａから吐き出される洗浄水は、第１リム導水路３４Ａに沿って旋回する流れＤｗａを形成する。また、第３吐水口３２Ｃから吐き出される洗浄水は、第３リム導水路３４Ｃに沿って旋回する流れＤｗｂを形成する。各リム導水路３４Ａ、３４Ｃに沿って流れる洗浄水は、各リム導水路３４Ａ、３４Ｃの棚部３４ａから受け面部２６に徐々に流れ落ち、受け面部２６の下方に向かいながら旋回する流れＤｗｃを形成する。
【００３８】
このように、各吐水口３２Ａ〜３２Ｃの洗浄水の吐き出しを開始するタイミングを調整するため、吐水部３６は、通水部３８内の洗浄水の流入位置Ｐａから各吐水口３２Ａ〜３２Ｃまでの通水経路の長さが予め定めた条件を満たすように設定されている。詳しくは、通水部３８内の洗浄水の流入位置Ｐａから第１吐水口３２Ａ、第２吐水口３２Ｂ及び第３吐水口３２Ｃのそれぞれまでの通水経路の長さを長さＬａ１、Ｌａ２、Ｌａ３とする。このとき、第２吐水口３２Ｂの通水経路の長さＬａ２は、第１吐水口３２Ａ、第３吐水口３２Ｃの通水経路の長さＬａ１、Ｌａ３より長くなるように設定されている。
【００３９】
なお、第１吐水口３２Ａ、第３吐水口３２Ｃの洗浄水の吐き出しを開始するタイミングは、本実施形態において、同等のタイミングとなる。ここでの「同等」とは、対比対象となる両者が同一の場合と、ほぼ同一の場合との両方が含まれる。ここでは、洗浄水の吐き出しを開始するタイミングが同じである場合と、ほぼ同じである場合との両方が含まれることを意味する。「同等」の解釈は以下も同様である。
【００４０】
図６、図７は便鉢部１４内での洗浄水の流れ方を示す他の図である。本図では初期段階より時間が経過した後の途中段階（第２段階）を示す。図６は図３と同様に水洗大便器１０のＡ−Ａ線断面図を示し、図７は水洗大便器１０の側面部分断面図を示す。まずは図６を参照にして説明する。
途中段階において、便鉢部１４内には、第１吐水口３２Ａ、第３吐水口３２Ｃの他に、第２吐水口３２Ｂからも洗浄水が吐き出される。第１吐水口３２Ａ、第３吐水口３２Ｃから吐き出される洗浄水の流れ方は初期段階と同様である。
【００４１】
第２吐水口３２Ｂから吐き出される洗浄水は第２リム導水路３４Ｂに沿って旋回する流れＤｗｄを形成する。第２リム導水路３４Ｂに沿って流れる洗浄水は、第２リム導水路３４Ｂの棚部３４ａから受け面部２６に徐々に流れ落ち、受け面部２６の下方に向かいながら旋回する流れＤｗｅを形成する。各吐水口３２Ａ〜３２Ｃから吐き出される洗浄水により、便鉢部１４内を旋回流旋回方向Ｄａに旋回する旋回流として、流れＤｗａ、Ｄｗｂ、Ｄｗｃ、Ｄｗｄ、Ｄｗｅが形成される。このうち、流れＤｗｃ、Ｄｗｅは、便鉢部１４の受け面部２６の下方に向かいながら旋回し、受け面部２６上から凹部３０内に流れ込む。
【００４２】
流れＤｗｃには、第２吐水口３２Ｂから吐き出される洗浄水の一部と、第３吐水口３２Ｃから吐き出される洗浄水の一部とが合流して形成される流れＤｗｃ（１）が含まれる。流れＤｗｃ（１）は、主に、凹部３０の後方の受け面部２６上で形成される。また、流れＤｗｃには、第３吐水口３２Ｃから吐き出される洗浄水の一部と、第１吐水口３２Ａから吐き出される洗浄水の一部とが合流して形成される流れＤｗｃ（２）が含まれる。流れＤｗｃ（２）は、主に、二つの前側の分割領域Ｓｒ２、Ｓｒ３のうちの上流側の分割領域である第２分割領域Ｓｒ２の受け面部２６上で形成される。
【００４３】
ここで、第２吐水口３２Ｂから吐き出される洗浄水の一部は、第１吐水口３２Ａから吐き出される洗浄水の一部と合流してトラップ部１８の入口１６に向かう主流Ｆｗを形成する。主流Ｆｗは、主に、二つの前側の分割領域Ｓｒ２、Ｓｒ３のうちの下流側の分割領域である第３分割領域Ｓｒ３から、第３分割領域Ｓｒ３に対して旋回流旋回方向Ｄａに隣接する第４分割領域Ｓｒ４にかけての範囲で受け面部２６上で形成される。より詳しくは、主流Ｆｗは、便鉢部１４の凹部３０から見て、二つの前側の分割領域Ｓｒ２、Ｓｒ３のうちの第３分割領域Ｓｒがある側（左側）かつ前側において、第３分割領域Ｓｒ３及び第４分割領域Ｓｒ４の受け面部２６上で形成される（範囲Ｓａ参照）。
【００４４】
主流Ｆｗは、第１吐水口３２Ａ及び第２吐水口３２Ｂのそれぞれから吐き出される洗浄水が合流することにより、水勢が強く、かつ、大流量の水流となる。この主流Ｆｗは、図６、図７に示すように、受け面部２６上から凹部３０内を経由してトラップ部１８の入口１６に向かって流れ込む。より詳しくは、主流Ｆｗは、受け面部２６上において第３分割領域Ｓｒ３から第４分割領域Ｓｒ４に向けて、つまり、受け面部２６上の前方側から後方側に向けて流れた後、凹部３０に対して斜め前側（左側かつ前側）より凹部３０内に流れ込む。このとき、便鉢部１４の凹部３０内の汚物は、前述の旋回流として流れる洗浄水の落差、特に、主流Ｆｗとして流れる洗浄水の落差を用いて、入口１６を通してトラップ部１８内に押し流される。ここでの「主流Ｆｗとして流れる洗浄水の落差」とは、第１吐水口３２Ａ、第２吐水口３２Ｂのそれぞれから吐き出される洗浄水の合流位置からトラップ部１８の入口１６までの高さの差Ｈｄ（図７参照）をいう。
【００４５】
凹部３０内では、凹部３０内に主流Ｆｗが流れ込むことにより、トラップ部１８の入口１６に向かうような流れの他に、凹部３０の右側壁部３０ａ（第１側壁部）に衝突した後に前方に向かうような流れＤｗｆが形成される。この流れＤｗｆは、凹部３０の右側壁部３０ａに沿って流れた後に、左側壁部３０ｂに衝突するように流れる。この流れＤｗｆは、凹部３０の右側壁部３０ａや左側壁部３０ｂに衝突するときの勢いにより、押し上げられるように上昇しつつ流れようとする。この上昇した流れＤｗｆは、受け面部２６上の前方側から後方側に向けて凹部３０内に流れ込む流れＤｗｃ（２）と合流することにより（範囲Ｓｂ参照）、トラップ部１８の入口１６に向かう流れＤｗｇを形成する。この流れＤｗｇも、流れＤｗｃ（２）と同様に、便鉢部１４内の前方側から後方側に向かうように流れる。
【００４６】
以上の水洗大便器１０の作用効果を説明する。
（１）以上の水洗大便器１０によれば、四つの分割領域Ｓｒ１〜Ｓｒ４のうち、三つの分割領域のそれぞれに個別の吐水口３２Ａ〜３２Ｃが形成される。よって、四つの分割領域Ｓｒ１〜Ｓｒ４のうちの二つの分割領域に個別の吐水口を形成するよりも、各吐水口３２Ａ〜３２Ｃそれぞれから旋回流旋回方向Ｄａに隣り合う他の吐水口までのリム部２８の内周長を短くできる。仮に、二つの分割領域に個別に吐水口を形成した場合を考える。リム部２８の内周面に沿って流れる洗浄水は重力により下方に向けて流れ落ちる。よって、この場合、吐水口から他の吐水口までのリム部２８の内周長が長くなることで、吐水口から離れた位置には十分量の洗浄水が届き難くなる。この点、本実施形態によれば、リム部２８全体で吐水口から他の吐水口までのリム部２８の内周長を短くできるため、リム部２８の内周面全体に洗浄水を届かせ易くなり、良好なリム洗浄能力を得られるようになる。
【００４７】
（２）また、トラップ部１８の入口１６に向かう主流Ｆｗは、第１吐水口３２Ａから吐き出される洗浄水と、第２吐水口３２Ｂから吐き出される洗浄水とが合流して形成される。この第２吐水口３２Ｂは前側の第３分割領域Ｓｒ３にあるため、後側の分割領域に設けられるよりも、第２吐水口３２Ｂからトラップ部１８の入口１６までの間で洗浄水が流れる経路を短くできる。この結果、第２吐水口３２Ｂから吐き出される洗浄水により形成される主流Ｆｗの水勢が強くなり、強水勢の主流Ｆｗにより便鉢部１４内の汚物をトラップ部１８の入口１６に押し流すことで、良好な汚物排出性能が得られるようになる。
【００４８】
また、トラップ部１８の入口１６に向かう主流Ｆｗは、第１吐水口３２Ａから吐き出される洗浄水と、第２吐水口３２Ｂから吐き出される洗浄水とが受け面部２６上、つまり、便鉢部１４の内周面上において合流して形成される。よって、強水勢の主流Ｆｗにより受け面部２６を洗浄でき、良好な便鉢洗浄性能を得られるようになる。
【００４９】
また、良好なリム洗浄能力、汚物排出性能、便鉢洗浄性能を得るうえでは、一回の便器洗浄に用いられる全洗浄水量を増やしたり、吐水口の開口面積を大きくして洗浄水吐出量を増やす手法も考えられる。この点、本実施形態によれば、一回の便器洗浄に用いられる全洗浄水量を増大させなくともよいため、全洗浄水量の増大を防止しつつ良好なリム洗浄能力、汚物排出性能、便鉢洗浄性能を得られるようになる。また、吐水口の開口面積を大きくしなくともよいため、吐水口の開口面積の増大を防止しつつ良好なリム洗浄能力、汚物排出性能、便鉢洗浄性能を得られるようになる。特に、吐水口の開口面積の増大を防止できるため、吐水口の寸法を小さくすることで、良好な見栄えを得つつ良好なリム洗浄能力、汚物排出性能、便鉢洗浄性能を得られるようになる。
【００５０】
また、リム部２８の内周面全体に洗浄水を届かせるうえでは、一の吐水口から他の吐水口までのリム部２８の内周長が長くなるほど、一の吐水口の洗浄水吐出量を多くしなければならないうえ、一の吐水口に連なるリム導水路３４の寸法も大きくする必要がある。この点、本実施形態によれば、リム部２８に二つの吐水口を形成する場合よりも、一の吐水口から他の吐水口までのリム部２８の内周長を短くできる。よって、リム部２８の内周面全体に洗浄水を届かせるうえで、三つの吐水口３２Ａ〜３２Ｃの洗浄水吐出量を少なくすることができるうえ、リム導水路３４の棚部３４ａの幅や立壁部３４ｂの高さ等の寸法を小さくできる。
【００５１】
また、吐水部３６は、第１吐水口３２Ａ及び第３吐水口３２Ｃから洗浄水が吐き出された後に第２吐水口３２Ｂから洗浄水が吐き出されるように構成されるため、以下の利点がある。一回の洗浄動作に用いられる全洗浄水量に対する主流Ｆｗの流量である主流流量の割合を増やせると、全洗浄水量を増やさずに主流流量を増大させることができ、主流流量の増大により汚物排出能力、便鉢洗浄能力を高められる。本実施形態によれば、第２吐水口３２Ｂから吐き出されて合流せずに入口１６に流れ込む洗浄水量を減らせるため、全洗浄水量に対する主流流量の割合を増やすことができる。よって、全洗浄水量を増やすことなく、主流流量の割合の増大により汚物排出能力、便鉢洗浄能力を高められる。
【００５２】
次に、第１吐水口３２Ａ〜第３吐水口３２Ｃに関する他の特徴を説明する。
吐水部３６は、第１吐水口３２Ａの洗浄水吐出量が最も多く、第２吐水口３２Ｂの洗浄水吐出量が次に多く、第３吐水口３２Ｃの洗浄水吐出量が最も少なくなるように構成される。つまり、第１吐水口３２Ａ、第２吐水口３２Ｂ及び第３吐水口３２Ｃの順で洗浄水吐出量が少なくなるように構成される。別の観点からいうと、他の二つの第２吐水口３２Ｂ、第３吐水口３２Ｃより第１吐水口３２Ａの方が洗浄水吐出量が多くなるように構成される。ここでの洗浄水吐出量とは吐水口を通る単位時間当たりの洗浄水の流量（Ｌ／ｓ）をいう。
【００５３】
このような各吐水口３２Ａ〜３２Ｃの洗浄水吐出量の大小関係を満たすため、吐水部３６は、次のように構成される。洗浄水供給装置からの洗浄水の流入位置Ｐａ（図３参照）から各吐水口３２Ａ〜３２Ｃまでの通水部３８内での通水経路を検討する。通水経路は、第１吐水口３２Ａ〜第３吐水口３２Ｃのそれぞれに対応する通水経路があるとする。吐水口の洗浄水吐出量は、吐水口に洗浄水を供給する通水経路の中で最も通路断面積が小さい部位（以下、流量設定部という）の通路断面積に比例した大きさとなる。本実施形態において、第１吐水口３２Ａの流量設定部は、第１吐水口３２Ａの通水経路の下流端にある第１吐水口３２Ａそのものとなる。第２吐水口３２Ｂの流量設定部も第２吐水口３２Ｂそのものとなり、第３吐水口３２Ｃの流量設定部も第３吐水口３２Ｃそのものとなる。
【００５４】
吐水部３６は、第１吐水口３２Ａの通路断面積である開口面積が最も大きく、第２吐水口３２Ｂの開口面積が次に大きく、第３吐水口３２Ｃが最も小さくなるように構成される。つまり、第１吐水口３２Ａ、第２吐水口３２Ｂ及び第３吐水口３２Ｃの順で開口面積が小さくなるように構成される。別の観点からいうと、第２吐水口３２Ｂ、第３吐水口３２Ｃより第１吐水口３２Ａの方が開口面積が大きくなるように構成される。ここでの開口面積（通路断面積）とは、通水方向に直交する断面での断面積をいう。これにより、各吐水口３２Ａ〜３２Ｃのそれぞれの洗浄水吐出量の大小関係は、各吐水口３２Ａ〜３２Ｃのそれぞれの開口面積の大小関係と同じとなるように構成される。
【００５５】
図８は、リム部２８の各リム導水路３４Ａ〜３４Ｃの内周長Ｌｂ１〜Ｌｂ３を示す図である。
ここでの内周長とは、リム部２８を通る水平断面において、各リム導水路３４Ａ〜３４Ｃの始端位置にある各吐水口３２Ａ〜３２Ｃから、各リム導水路３４Ａ〜３４Ｃの終端位置３４Ａａ〜３４Ｃａまでの範囲の内周面の長さをいう。たとえば、第１リム導水路３４Ａの内周長Ｌｂ１は、第１吐水口３２Ａから第１リム導水路３４Ａの終端位置３４Ａａまでの範囲の内周面の長さとなる。
【００５６】
リム部２８は、第１リム導水路３４Ａの内周長Ｌｂ１が最も長く、第２リム導水路３４Ｂの内周長Ｌｂ２が次に長く、第３リム導水路３４Ｃの内周長Ｌｂ３が最も短くなるように形成される。つまり、内周長Ｌｂ１、内周長Ｌｂ２、内周長Ｌｂ３の順で短くなるように形成される。これらの内周長Ｌｂ１、Ｌｂ２、Ｌｂ３の比は、たとえば、Ｌｂ１：Ｌｂ２：Ｌｂ３＝５：３：２となる。
【００５７】
吐水部３６は、三つの吐水口３２Ａ〜３２Ｃのそれぞれの洗浄水吐出量の大小関係が、三つの吐水口３２Ａ〜３２Ｃのそれぞれに連なる第１リム導水路３４Ａ〜第３リム導水路３４Ｃの内周長Ｌｂ１〜Ｌ３の大小関係と同じになるように構成される。たとえば、最も内周長Ｌｂ１が長い第１リム導水路３４Ａに連なる第１吐水口３２Ａは、最も洗浄水吐出量が多くなる。また、最も内周長Ｌｂ３が短い第３リム導水路３４Ｃに連なる第３吐水口３２Ｃは、最も洗浄水吐出量が少なくなる。
【００５８】
より詳しくは、吐水部３６は、三つの吐水口３２Ａ〜３２Ｃのそれぞれの洗浄水吐出量の比が、三つの吐水口３２Ａ〜３２Ｃのそれぞれに連なる第１リム導水路３４Ａ〜第３リム導水路３４Ｃの内周長Ｌｂ１〜Ｌｂ３の比と、同等になる関係を満たすように構成される。たとえば、内周長Ｌｂ１〜Ｌｂ３の比が５：３：２である場合、三つの吐水口３２Ａ〜３２Ｃのそれぞれの洗浄水吐出量の比は、５：３：２と同等の関係を満たすように構成される。なお、吐水部３６は、三つの吐水口３２Ａ〜３２Ｃのそれぞれの洗浄水吐出量の比が、三つの吐水口３２Ａ〜３２Ｃのそれぞれの開口面積の比と、同等になる関係を満たすように構成される。
【００５９】
前述の特徴によれば、第１吐水口３２Ａは他の第２吐水口３２Ｂ、第３吐水口３２Ｃより洗浄水吐出量が多いため、第１吐水口３２Ａから吐き出される洗浄水により便鉢部１４内に主流Ｆｗを形成し易くなる。このため、各吐水口３２Ａ〜３２Ｃの位置、洗浄水の吐出方向等を調整することで、便鉢部１４内での主流Ｆｗの流れ方を様々に設定でき、洗浄水による洗浄態様の自由度を高められる。
【００６０】
また、三つの吐水口３２Ａ〜３２Ｃの洗浄水吐出量の大小関係が、三つの吐水口３２Ａ〜３２Ｃに連なる第１リム導水路３４Ａ〜第３リム導水路３４Ｃの内周長の大小関係と同じになるように構成される。よって、内周長が長い第１リム導水路３４Ａには多くの洗浄水量を流すことができ、第１リム導水路３４Ａ全体に十分量の洗浄水を行き届かせ易くできる。また、内周長が短い第３リム導水路３４Ｃでは少ない洗浄水量を流すことで、第３リム導水路３４Ｃでの洗浄水使用量を抑えることができる。このため、リム部２８の内周面全体に十分量の洗浄水を行き届かせて良好なリム洗浄能力を得つつ、リム部２８の内周面全体の洗浄に用いられる洗浄水の使用量を抑えやすくできる。
【００６１】
また、他の二つの吐水口３２Ｂ、３２Ｃより洗浄水吐出量が多い第１吐水口３２Ａは後側の第１分割領域に設けられるため、以下の利点がある。第１吐水口３２Ａに洗浄水を供給する右側通水路３８ｂは、他の吐水口３２Ｂ、３２Ｃより第１吐水口３２Ａの洗浄水吐出量を多くするため、左側通水路３８ｃよりも大きい通路断面積を確保する必要がある。本実施形態によれば、洗浄水吐出量の多い第１吐水口３２Ａを後側の分割領域に設けるため、第１吐水口３２Ａを前側の分割領域に設けるよりも、通路断面積が大きい右側通水路３８ｂの前後寸法を抑えられ、吐水部３６を小型化し易くなる。よって、良好なリム洗浄能力、汚物排出能力、便鉢洗浄能力を得つつ、吐水部３６全体を小型化し易くできる。
【００６２】
なお、吐水部３６は、第１吐水口３２Ａ及び第２吐水口３２Ｂの洗浄水吐出量の合計量（以下、合計吐出量ともいう）が、第３吐水口３２Ｃの洗浄水吐出量より多くなるように構成される。これにより、一回の洗浄動作で用いられる全洗浄水量に対して半分以上の洗浄水量を主流Ｆｗの形成に用いることを期待できる。よって、強水勢の主流Ｆｗの流量を多くでき、強水勢、大流量の主流Ｆｗにより便鉢部１４の受け面部２６を洗浄することで、さらに良好な便鉢洗浄能力を得られるようになる。また、強水勢、大流量の主流Ｆｗにより、便鉢部１４内の汚物をトラップ部１８の入口１６に押し流すことで、特に良好な汚物排出性能を得られるようになる。このような作用効果を得る観点から、吐水部３６は、一回の洗浄動作で用いられる全洗浄水量に対する第１吐水口３２Ａ及び第２吐水口３２Ｂの合計吐出量の割合が６０％〜８０％となるように構成されると好ましい。ここでの全洗浄水量とは、第１吐水口３２Ａ〜第３吐水口３２Ｃのそれぞれの洗浄水吐出量の合計量と同義である。
【００６３】
また、吐水部３６は、一回の洗浄動作で用いられる全洗浄水量に対する、第１吐水口３２Ａの洗浄水吐出量の割合が４０％〜６０％となるように構成されると好ましい。
【００６４】
第１吐水口３２Ａ〜第３吐水口３２Ｃに関する更に他の特徴を説明する。
第１吐水口３２Ａ〜第３吐水口３２Ｃは、図３に示すように、二つの前側の第２分割領域Ｓｒ２、第３分割領域Ｓｒ３のうちの旋回流旋回方向Ｄａの下流側にある第３分割領域Ｓｒ３と、二つの後側の第１分割領域Ｓｒ１、第４分割領域とのそれぞれに個別に形成される。言い換えると、第１吐水口３２Ａ〜第３吐水口３２Ｃは、二つの前側の第２分割領域Ｓｒ２、第３分割領域Ｓｒ３のうちの旋回流旋回方向Ｄａの上流側にある第２分割領域Ｓｒ２には形成されない。
【００６５】
この利点を説明する。図９（ａ）は第１変形例に係る便器本体１２を示す図である。本例では、第２分割領域Ｓｒ２に第２吐水口３２Ｂが形成される。
水洗大便器１０の便座に着座した状態で使用者が小用をする場合、便鉢部１４の受け面部２６で受けた小水が周囲に飛び散ることがある（方向Ｄｆ参照）。このとき、リム部２８の前側の左右中心位置２８ａを含む内周面領域に飛び散った小水が当たると、この内周面領域に周方向に沿って小水が伝わることで、第２吐水口３２Ｂから右側通水路３８ｂ内にまで進入する可能性がある。
【００６６】
この点、本実施形態によれば、図９（ｂ）に示すように、リム部２８の前側の左右中心位置２８ａを含む内周面領域に小水が当たったとき、この内周面領域に周方向に沿って伝わる小水が第２吐水口３２Ｂから左側通水路３８ｃ内の奥側に進入し難くなる。よって、第２吐水口３２Ｂの奥側（吐水部３６の通水部３８内）に尿成分が残存する可能性を抑えられ、それだけ汚れや臭いの発生を防止できる。従って、良好なリム洗浄能力を得つつ良好な清潔性を得られるようになる。
【００６７】
前述の構成によれば、以下の利点もある。図１０は図９（ａ）の第１変形例に係る便器本体１２を示す図である。
便鉢部１４の内周面に沿って流れる洗浄水には径方向外側に向かう遠心力Ｆｃが付与される。この遠心力Ｆｃは洗浄水が流れる箇所の曲率半径が小さくなるほど大きくなり、この遠心力が大きくなるほど、トラップ部１８の入口１６に向かって流れる水流の水勢が弱まりやすくなる。
【００６８】
仮に、第２分割領域Ｓｒ２に第２吐水口３２Ｂが設けられる場合を考える。この場合、吐水口３２から吐き出される洗浄水はリム部２８の前側の左右中心位置Ｐａにある内周面領域を経由して流れるようになる。この左右中心位置Ｐａにある内周面領域は、便鉢部１４が左右寸法より前後寸法の方が大きい楕円状に形成されることから、通常、他の位置より曲率半径が小さくなり易い。従って、第２分割領域Ｓｒ２に第２吐水口が設けられると、第２吐水口３２Ｂから吐き出される洗浄水の水勢が遠心力Ｆｃにより弱まりやすくなる。
【００６９】
この点、本実施形態によれば、第２吐水口３２Ｂは第３分割領域Ｓｒ３に配置されるため、第２吐水口３２Ｂから吐き出される洗浄水を、曲率半径が小さいリム部２８の左右中心位置Ｐａにある内周面領域を経由せずに、トラップ部１８の入口１６に向けて流せるようになる。従って、第２吐水口３２Ｂから吐き出される洗浄水により形成される主流Ｆｗは遠心力Ｆｃにより水勢が弱まりにくくなり、第２吐水口３２Ｂを第２分割領域Ｓｒ２に配置するよりも、良好な便鉢洗浄能力、汚物排出能力を得られるようになる。
【００７０】
水洗大便器１０の他の特徴を説明する。
図３を参照する。第２吐水口３２Ｂに洗浄水を供給する左側通水路３８ｃは、左側方部分２８Ｌの裏側にて前後方向に沿って延びるように形成される。この左側通水路３８ｃは、リム部２８の左側方部分２８Ｌ、右側方部分２８Ｒのうち、第２吐水口３２Ｂが形成される第３分割領域Ｓｒ３がある側の左側方部分２８Ｌの裏側にて形成される。この左側通水路３８ｃは、平面視において、左側方部分２８Ｌの裏側にて前後中心線Ｌｂを跨ぐように形成される。別の観点からは、左側通水路３８ｃは、リム部２８の右側方部分２８Ｒの裏側にて前後中心線Ｌｂを跨ぐようには形成されていない。この利点を説明する。
【００７１】
前述の構成によれば、リム部２８の前側の左右中心位置Ｐｂ裏側を経由しないようなレイアウトで左側通水路３８ｃを配置できる。よって、リム部２８の左右中心位置Ｐｂの裏側を経由するように通水路を配置するよりも、洗浄水の流入位置Ｐａからの通水経路を短くすることができ、第２吐水口３２Ｂから水勢の強い洗浄水を吐き出せるようになる。この結果、更に良好なリム洗浄能力、便鉢洗浄能力、汚物排出能力を得られるようになる。この効果は、第２吐水口３２Ｂの位置が便鉢部１４の第３分割領域Ｓｒ３の後側に近づくほど効果的に得られる。
【００７２】
また、仮に、リム部２８の前側の左右中心位置Ｐｂ裏側を経由するように通水路を配置する場合、第１吐水口３２Ａ用の通水路と第２吐水口３２Ｂ用の通水路とをリム部２８の右側方部分２８Ｒの裏側にて左右方向に並べて配置する必要がある。この点、前述の構成によれば、第１吐水口３２Ａ用の右側通水路３８ｂと第２吐水口３２Ｂ用の左側通水路３８ｃとをリム部２８の右側方部分２８Ｒの裏側に左右方向に並べて配置せずともよくなる。よって、リム部２８の右側方部分２８Ｒの裏側部分の幅寸法を小さくできる。これにより、図１、図２に示すように、便器本体１２の上面部１２ａのうちの、便鉢部１４の上端縁から側方に延びる側方部分１２ｂの幅寸法を小さくできる。
【００７３】
第２リム導水路３４Ｂの内周面には、第２吐水口３２Ｂから旋回流旋回方向Ｄａに離れた位置に直線状に延びる直線区間３４Ｂｂが形成される。第２リム導水路３４Ｂの内周面には、第２吐水口３２Ｂから直線区間３４Ｂｂまでの連続する範囲において、第２吐水口３２Ｂから離れるにつれて曲率が小さくなるように形成される曲率減少区間３４Ｂｃが形成される。また、第３リム導水路３４Ｃの内周面にも、第３吐水口３２Ｃから旋回流旋回方向Ｄａに離れた位置に直線状に延びる直線区間３４Ｃｂが形成される。第３リム導水路３４Ｃの内周面にも、第３吐水口３２Ｃから直線区間３４Ｃｂまでの連続する範囲において、第３吐水口３２Ｃから離れるにつれて曲率が小さくなるように形成される曲率減少区間３４Ｃｃが形成される。
【００７４】
このように、各リム導水路３４Ｂ、３４Ｃの内周面には、各吐水口３２Ｂ、３２Ｃから連続する曲率減少区間３４Ｂｃ、３４Ｃｂが形成される。よって、各吐水口３２Ｂ、３２Ｃから吐き出されてから直線区間３４Ｂｂ、３４Ｃａを通るまでの範囲で、各吐水口３２Ｂ、３２Ｃから吐き出された直後の水勢の強い洗浄水は曲率半径が大きい区間を流れるため、その範囲を流れる洗浄水には大きい遠心力が付与され難くなる。このため、各吐水口３２Ｂ、３２Ｃから吐き出された後にトラップ部１８の入口１６に向かう水流が、各吐水口３２Ｂ、３２Ｃから吐き出された直後の水勢の強い状態から弱まり難くなる。この結果、それだけ強い水勢の水流により汚物を押し込めるようになり、更に良好な汚物排出性能を得られるようになる。
【００７５】
図１１（ａ）は実施形態に係る第２吐水口３２Ｂ周りの構造を示す図である。
第２吐水口３２Ｂは便鉢部１４の径方向に隣り合う内側の立壁部３４ｂ（以下、内側立壁部３４ｂ（１）ともいう）と外側の立壁部３４ｂ（以下、外側立壁部３４ｂ（２）ともいう）とにより部分的に形成される。二つの立壁部３４ｂのうち、外側立壁部３４ｂ（２）の周方向端部３４ｂａと、内側立壁部３４ｂ（１）の周方向端部３４ｂｂとは、便鉢部１４の中心点Ｃｐから延びる仮想線Ｌｃ上に並ぶように配置される。ここでの「並ぶ」には、便鉢部１４の中心点Ｃｐから見て、二つの立壁部３４ｂが周方向に重なる角度範囲が３°以下となるように並ぶ場合が含まれる。二つの立壁部３４ｂは、便鉢部１４の中心点Ｃｐから見て、周方向に重なる角度範囲が３°以下となるように配置されるともいえる。この利点を説明する。
【００７６】
図１１（ｂ）は第２変形例に係る第２吐水口３２Ｂ周りの構造を示す図である。仮に、図１１（ｂ）に示すように、二つの立壁部３４ｂの周方向端部３４ｂａ、３４ｂｂが仮想線Ｌｃ上に並ばずに、二つの立壁部３４ｂの周方向に重なる角度範囲が大きくなる場合を考える。この場合、折り返し部分３８ｃａの上流端と下流端とのそれぞれに連なる別々の水路部分４０が径方向に並んで形成される。ここで、折り返し部分３８ｃａにて径方向に対向する二つの内壁面３８ｆは、折り返し部分３８ｃａに対して径方向内側にリム導水路３４Ａを形成等する関係上、折り返し部分３８ｃａの突き当たり位置３８ｇに向かうにつれて幅狭となるように形成され易くなる。よって、各水路部分４０の幅寸法も、折り返し部分３８ｃａに近づくほど狭くなるように形成され易くなる。このため、左側通水路３８ｃの前後延在部分３８ｃｂから折り返し部分３８ｃａを経由して第２吐水口３２Ｂに至る経路Ｒｂの中で、第２吐水口３２Ｂより通路断面積が小さい箇所が内側立壁部３４ｂの径方向両側に形成され易くなる（範囲Ｓｃ参照）。この結果、第２吐水口３８Ｂに連なる通水経路の中で最も通路断面積が小さい部位、つまり、前述の流量設定部が、第２吐水口３２Ｂとなるような設計をし難くなる。
【００７７】
一方、前述のように、二つの立壁部３４ｂの周方向端部３４ｂａ、３４ｂｂが仮想線Ｌｃ上に並ぶように形成されていれば、折り返し部分３８ｃａの上流端と下流端とのそれぞれに連なる別々の水路部分４０が径方向に並んで形成され難くなる。これにより、前述の経路Ｒｂの中で、第２吐水口３２Ｂより通路断面積が小さい箇所が形成され難くなり、第２吐水口３２Ｂが流量設定部となるような設計をし易くなる。
【００７８】
なお、第２吐水口３２Ｂは、便鉢部１４の前側の分割領域Ｓｒ３に形成されるため、通常使用時、使用者により視認され難い位置にある。よって、第２吐水口３２Ｂを形成する二つの立壁部３４ｂの周方向端部３４ｂａ、３４ｂｂが並ぶように配置されており、場合によっては第２吐水口３２Ｂから奥側を覗き込めるような構造であっても、第２吐水口３２Ｂそのものを視認し難くすることで意匠性の低下を防止できる。なお、ここでの「通常使用時」とは、水洗大便器１０に前方より近づいてから便座に座って用便するような状況をいう。
【００７９】
図１２は第３吐水口３２Ｃ周りの構造を示す図である。
平面視において、左側通水路３８ｃと前後中心線Ｌｂとが重なる位置での左側通水路３８ｃの幅寸法をＷ１とする。左側通水路３８ｃには、前後中心線Ｌｂより後方に向かうにつれて幅寸法が徐々に大きく幅変化領域３８ｈが形成される。この幅変化領域３８ｈにおいて、幅寸法Ｗ１の二倍の幅寸法Ｗ２となる位置３８ｉを基準位置３８ｉとしたとき、第３吐水口３２Ｃは、この基準位置３８ｉより後方に形成される。仮に、基準位置３８ｉより前方位置（たとえば、範囲Ｓｄ）に第３吐水口３２Ｃが形成される場合、その周囲に第３吐水口３２Ｃに洗浄水を導くための壁部分を確保する必要があるため、その周囲から第２吐水口３２Ｂに向かう通水路が狭くなり易くなる。一方、基準位置３８ｉより後方に第３吐水口３２Ｃが形成されていれば、第３吐水口３２Ｃに洗浄水を導くための壁部分により、第２吐水口３２Ｂに向かう通水路が狭くなり難くなり、第２吐水口３２Ｂに十分量の洗浄水を供給し易くなる。
【００８０】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００８１】
水洗大便器１０は、洗浄方式として洗い落し式を用いる例を説明したが、サイホン式、サイホンゼット式等の他方式と組み合わせた洗浄方式により便鉢部１４内を洗浄してもよい。水洗大便器１０は、給水方式として水道直圧式を用いる例を説明したが、この他にも重力を用いた重力給水式、フラッシュバルブ式等の給水方式が用いられてもよい。便器本体１２は壁掛け式便器を例に説明したが、トイレ室の床面上に設置される床置き式便器でもよい。また、便器本体１２は陶器の他に樹脂等を素材としてもよい。
【００８２】
また、リム導水路３４の棚部３４ａは、受け面部２６の上端縁２６ａに連なる上面部分の勾配が、受け面部２６の上端縁２６ａに連なる受け面部２６の内面部分の勾配より緩やかになるように形成されていればよい。このような条件を満たしていれば、棚部３４ａの上面部分は、図１等に示すように平面状に形成されていてもよいし、円弧状に形成されていてもよい。また、リム導水路３４は、旋回流旋回方向Ｄに直交する鉛直断面の形状が、リム導水路３４の棚部３４ａの上面部分と、オーバーハング部３４ｃの下面部分とにより連続する曲面状に形成されてもよい。また、リム導水路３４はオーバーハング部３４ｃがなくともよい。また、三つのリム導水路３４Ａ〜３４Ｃは、終端位置３４Ａａ、３４Ｂａ、３４Ｃａにおいて、他のリム導水路と連続せずに分断されるように形成される例を説明したが、他のリム導水路と連続するように形成されてもよい。
【００８３】
また、前述の作用効果（１）を得る観点からは、三つの吐水口３２Ａ〜３２Ｃは、四つの分割領域Ｓｒ１〜Ｓｒ４のうち、三つの分割領域のそれぞれに個別に形成されていればよい。この観点からは、三つの吐水口３２Ａ〜３２Ｃの位置は実施形態の内容に限られない。
【００８４】
図１３は、作用効果（１）を得られる吐水口３２Ａ〜３２Ｃの配置パターンの例を示す模式図である。
作用効果（１）を得る観点からは、たとえば、図１３（ａ）に示すように、第１分割領域Ｓｒ１に第１吐水口３２Ａ、第２分割領域Ｓｒ２に第２吐水口３２Ｂ、第４分割領域Ｓｒ４に第３吐水口３２Ｃを形成してもよい。また、図１３（ｂ）に示すように、第１分割領域Ｓｒ１に第１吐水口３２Ａ、第２分割領域Ｓｒ２に第２吐水口３２Ｂ、第３分割領域Ｓｒ３に第３吐水口３２Ｃを形成してもよい。また、図１３（ｃ）に示すように、第２分割領域Ｓｒ２に第１吐水口３２Ａ、第３分割領域Ｓｒ３に第２吐水口３２Ｂ、第４分割領域Ｓｒ４に第３吐水口３２Ｃを形成してもよい。このように、最も洗浄水吐出量が多い第１吐水口３２Ａは後側の分割領域ではなく前側の分割領域に形成してもよい。いずれの場合においても、四つの分割領域Ｓｒ１〜Ｓｒ４のうち、一つの分割領域には吐水口を形成せず、他の三つの分割領域には個別に吐水口を形成するともいえる。
【００８５】
また、三つの吐水口３２Ａ〜３２Ｃは、四つの分割領域Ｓｒ１〜Ｓｒ４のうち、三つの分割領域のそれぞれに少なくとも一つが含まれるように形成されていればよく、隣接する分割領域に跨がるように形成されてもよい。たとえば、第２吐水口３２Ｂを第３分割領域Ｓｒ３、第３吐水口３２Ｃを第４分割領域Ｓｒ４に形成しつつ、第１吐水口３２Ａを第１分割領域Ｓｒ１、第２分割領域Ｓｒ２に跨がるように形成してもよい。また、この他にも、第２吐水口３２Ｂを隣接する分割領域に跨がるように形成してもよいし、第３吐水口３２Ｃを隣接する分割領域に跨がるように形成してもよい。また、前述の作用効果（１）を得る観点から、三つの吐水口３２Ａ〜３２Ｃは、便鉢部１４の中心点Ｃｐから見て、１／４周分以上の角度範囲が離れるように配置されていてもよい。また、三つの吐水口３２Ａ〜３２Ｃの洗浄水吐出量、開口面積は実施形態の内容に限られない。たとえば、三つの吐水口３２Ａ〜３２Ｃの洗浄水吐出量を同じにしてもよいし、三つの吐水口３２Ａ〜３２Ｃのうちの二つの吐水口の洗浄水吐出量のみを同じにしてもよい。
【００８６】
また、前述の作用効果（２）を得る観点からは、三つの吐水口３２Ａ〜３２Ｃを形成することは必須にならず、少なくとも二つの吐水口が形成されていればよい。ここで、便鉢部１４が前後中心線Ｌｂで区分けされる二つの分割領域を有するとする。ここでの二つの分割領域とは、図３の例でいえば、一つは第１分割領域Ｓｒ１、第４分割領域Ｓｒ４から構成され、もう一つは第２分割領域Ｓｒ２、第３分割領域Ｓｒ３から構成される。この場合に、二つの吐水口には、二つの分割領域Ｓｒ１〜Ｓｒ４のうち、いずれかの分割領域に形成される第１吐水口３２Ａと、前側の分割領域に形成される第２吐水口３２Ｂとが含まれていればよい。この場合に、第２吐水口３２Ｂは第１吐水口３２Ａが形成される分割領域と同じ分割領域に形成されてもよいし、他の分割領域に形成されてもよい。これら二つの吐水口３２Ａ、３２Ｂの位置は実施形態の内容に限られない。
【００８７】
図１４は作用効果（２）を得ることができる吐水口３２Ａ、３２Ｂの配置パターンの例を示す模式図である。
作用効果（２）を得る観点からは、たとえば、図１４（ａ）に示すように、第１分割領域Ｓｒ１に第１吐水口３２Ａ、第３分割領域Ｓｒ３に第２吐水口３２Ｂを形成してもよい。また、図１４（ｂ）に示すように、第２分割領域Ｓｒ２に第１吐水口３２Ａ、第３分割領域Ｓｒ３に第２吐水口３２Ｂを形成してもよい。また、この他にも、図１４（ｃ）に示すように、第４分割領域Ｓｒ４に第３吐水口３２Ｃを更に形成してもよい。
【００８８】
また、便鉢部１４のリム部２８の各吐水口３２Ａ〜３２Ｃは上下方向に位置が重なるように配置される例を説明した。この他にも、リム部２８の各吐水口３２Ａ〜３２Ｃは、各吐水口３２Ａ〜３２Ｃのうちのいずれか一つ、又は、すべての吐水口３２Ａ〜３２Ｃが上下方向に位置が重ならず、上下方向にずれた位置に配置されてもよい。この場合、便鉢部１４の前後中心線Ｌｂは、最も下側の吐水口を通る水平断面の平面視において、便鉢部１４の内面部分の前後寸法を二等分して左右方向に沿って延びる直線により定められる。
【００８９】
また、前述のように、吐水部３６は、第１吐水口３２Ａから吐き出される洗浄水と、第２吐水口３２Ｂから吐き出される洗浄水とを合流させて排水通路部の入口１６に向かう主流Ｆｗを形成するように構成される。吐水部３６は、各吐水口３２Ａ、３２Ｂの位置、洗浄水吐出量及び洗浄水吐出方向の少なくともいずれかを調整することで、このような主流Ｆｗを形成するように構成できる。
【００９０】
また、第１吐水口３２Ａ、第３吐水口３２Ｃの洗浄水の吐き出しを開始するタイミング（以下、吐き出し開始タイミングという）は同等である例を説明した。この吐き出し開始タイミングは、第２吐水口３２Ｂの洗浄水の吐き出し開始タイミングより早ければよく、第１吐水口３２Ａと第３吐水口３２Ｃとの間で吐き出し開始タイミングがずれていてもよい。
【００９１】
また、吐水部３６は、各吐水口３２Ａ〜３２Ｃの洗浄水吐出量を調整するため、吐水口３２Ａ〜３２Ｃに対応する通水経路の通路断面積を調整する例を説明した。この他にも、各吐水口３２Ａ〜３２Ｃに対する通水経路の途中に設けた絞り弁等により洗浄水吐出量を調整してもよい。また、各吐水口３２Ａ〜３２Ｃの洗浄水の吐き出しを開始するタイミングを調整するために電気駆動弁等の弁機構を用いてもよい。
【符号の説明】
【００９２】
１０…水洗大便器、１２…便器本体、１４…便鉢部、１６…入口、２０…排水通路部、２６…受け面部、２８…リム部、２８Ｌ…左側方部分、２８Ｒ…右側方部分、３２Ａ…第１吐水口、３２Ｂ…第２吐水口、３２Ｃ…第３吐水口、３６…吐水部、３８ｂ…右側通水路（第１通水路）３８ｃ…左側通水路（第２通水路）、Ｓｒ１〜Ｓｒ４…分割領域、Ｌａ…左右中心線、Ｌｂ…前後中心線。
【図１】
2019206914.tif 000003
【図２】
2019206914.tif 000004
【図３】
2019206914.tif 000005
【図４】
2019206914.tif 000006
【図５】
2019206914.tif 000007
【図６】
2019206914.tif 000008
【図７】
2019206914.tif 000009
【図８】
2019206914.tif 000010
【図９】
2019206914.tif 000011
【図１０】
2019206914.tif 000012
【図１１】
2019206914.tif 000013
【図１２】
2019206914.tif 000014
【図１３】
2019206914.tif 000015
【図１４】
2019206914.tif 000016
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
便鉢部と、前記便鉢部内に洗浄水を吐き出すための吐水部と、を有する便器本体を備え、
前記便鉢部は、汚物を受けるための受け面部と、前記受け面部の上縁部に接続されるリム部と、を有し、
前記吐水部は、前記リム部に形成される吐水口を有し、前記吐水口から前記リム部の内周面に沿って周方向の一方側に洗浄水を吐き出し、
前記便鉢部は、平面視において、前記便器本体の外面部分の左右寸法を二等分する左右中心線と、該便鉢部の内面部分の前後寸法を二等分する前後中心線とで区分けされる四つの分割領域を有し、
前記吐水口は、二つの前側の分割領域のうちの前記周方向の一方側にある分割領域に形成され、
前記吐水部は、前記リム部の裏側に配置され、前記吐水口に洗浄水を供給する通水路を有し、
前記通水路は、前記リム部の左右両側の側方部分のうち、前記周方向の一方側の分割領域のある側の側方部分の裏側に形成され、
前記通水路には、平面視において前記前後中心線より前側において、折り返し部分が形成されることを特徴とする水洗大便器。
【請求項２】
前記リム部は、前記吐水口から前記周方向の一方側に延びるように形成されるリム導水路を備える請求項１に記載の水洗大便器。
【請求項３】
前記吐水部は、前記リム部に形成される二つの吐水口を有し、前記二つの吐水口から前記リム部の内周面に沿って前記周方向の一方側に洗浄水を吐き出し、
前記二つの吐水口のうちの一方の吐水口は、二つの前側の分割領域のうちの前記周方向の一方側にある分割領域に形成される請求項１または２に記載の水洗大便器。
【請求項４】
前記二つの吐水口のうちの他方の吐水口は、前記左右中心線に対して、前記一方の吐水口とは左右方向の反対側にある二つの分割領域のうちの何れかの分割領域に形成される請求項３に記載の水洗大便器。